(57)【要約】【課題】  板材を効率良く建物の躯体に固定することができるとともに、外からの水の浸入を阻止できる。【解決手段】  複数の釘２と、これらの釘２の向きを揃え、かつ釘の胴部６を互いに平行に連接する２本のワイヤー（連接手段）１１とを備え、釘の頭部下面４から首部５にかけて、その表面にシーリング剤１０を付着させてなり、釘２を壁下地材に打ち込むときに、打ち込みの抵抗は小さく打ち込み易い。さらに、釘２を打ち込みすることによりシーリング剤１０は釘の頭部下面４と壁下地材との間に押し出され適正量のシーリング剤１０が挟まれる。【選択図】              図１
2006233984.tif 000002
【特許請求の範囲】
【請求項１】
複数の釘と、該釘の向きを揃え、かつ該釘の胴部を互いに平行に連接する連接手段とを備え、前記釘の頭部下面から首部にかけて、その表面にシーリング剤を付着させてなる連接釘。
【発明の詳細な説明】
【技術分野】
【０００１】
本発明は、壁下地材などの板材を建物の躯体に固定する際に使用する連続釘打ち機用の連接釘に関する。
【背景技術】
【０００２】
従来、建物の壁下地材などの板材を固定する釘であって、連続釘打ち機用に利用できる釘としては、たとえば、下記特許文献１に記載されたものが知られている。この釘は、表面略全体または先端部に、シーリング剤を付着させたものである。
【特許文献１】特開平１−２６９７０７号公報
【発明の開示】
【発明が解決しようとする課題】
【０００３】
しかしながら、上記釘は、シーリング剤を釘の表面略全体または先端部に付着させている。表面略全体にシーリング剤を付着させた釘は、その複数を連接する際に制約を受けやすい。また、表面略全体にシーリング剤を付着させた複数の釘を連接した連接釘を連続釘打ち機に装着し、板材を建物の躯体に固定するときに、連接箇所のシーリング剤が剥がれ落ちることがある。シーリング剤が剥がれ落ちると、釘の頭部と壁下地材との間に挟まれるシーリング剤が少なくなり、シール性が低下するので外からの水の浸入を阻止することができない。
【０００４】
また、シーリング剤が釘の先端部のみに付着している場合は、この釘を壁下地材表面に打ち込んだときに、シーリング剤の剥離や釘の頭部下面と壁下地材との間のシーリング剤が少ないので、この場合も外側からの水の浸入を阻止することができないおそれがある。
【０００５】
本発明が解決しようとする課題は、板材を効率良く建物の躯体に固定することができるとともに、板材を固定した後において外からの水の浸入を阻止できることである。
【課題を解決するための手段】
【０００６】
上記課題を解決するため本発明は、複数の釘と、該釘の向きを揃え、かつ該釘の胴部を互いに平行に連接する連接手段（または釘保持具）とを備え、前記釘の頭部下面から首部にかけて、その表面にシーリング剤を付着させてなることを特徴とする。
【０００７】
このようにすることにより、この連接釘を連続釘打ち機に装着し、板材を建物の躯体に固定するときに、釘は連接手段から引き離される。この際、釘の胴部にはシーリング剤が付着していないので、シーリング剤の剥離は発生しない。連接手段から引き離された釘は板材に打ち込まれる。また、釘の胴部および先端部にはシーリング剤が付着していないので、釘の打込み性が良好である。
【０００８】
さらに、釘の頭部下面から首部にかけて、その表面にシーリング剤が付着しているので、釘の打ち込みの最終段階においては、釘の頭部下面および首部に付着するシーリング剤は、頭部下面に沿って押し出されるとともに頭部下面と壁下地材との間に適正量挟まれ、かつシーリング剤は釘の頭部の周囲に環状に挟まれる。この状態においては過剰のシーリング剤が釘の頭部下面と板材との間に付着しないので、板材を確実に建物の躯体に固定するとともに板材の外側からの水の浸入を阻止し防水性を確保する。
【０００９】
次に本発明を構成する各要件についてさらに詳しく説明する。本発明の連接釘は、連続釘打ち機に使用するもので、複数の釘は、その向き、すなわち互いに平行に頭側同士、先端側同士が連接手段により揃えられ連接したものである。
【００１０】
釘自体は、一般に使用される釘（ＪＩＳ  Ａ５５０８−１９９２）でも良いが、頭部下面の形状は、頭部上端面（または胴部を垂直に横断する面）に対して２５度以上の逆円錐面の一部またはこの逆円錐面と胴部側面とに接する曲面とする。釘は、頭部、首部、胴部および先端部からなり、頭部の形状は平頭フラット、平頭網目付き、丸頭、皿頭網目付きなどである。
【００１１】
胴部の形状は、スムース、スクリュウー、リングなどであり、釘の材質は、鉄、ステンレス鋼などの金属である。釘の形状、大きさおよび材質の選定は、その使用目的、板材の厚さなどにより決定し、たとえば厚さ７．５〜１５ｍｍの合板を鉄丸釘で固定する場合は、合板の板厚に応じて長さ３８〜６５ｍｍ（Ｎ３８〜Ｎ６５）などを使用する。
【００１２】
シーリング剤は、釘の表面に必要以上に強固に付着せず、かつ釘の打ち込みによって頭部側に押し出されるものを選定する。シーリング剤の材質としては、たとえば合成樹脂、合成ゴム、ゴム化アスファルトなどを使用すると良い。合成樹脂としては、塩化ビニール樹脂、酢酸ビニール樹脂、ウレタン樹脂などを使用する。
【００１３】
釘におけるシーリング剤の付着させる範囲は、頭部下面から首部にかけてである。首部におけるシーリング剤の長さは、首部の頭部側端からシーリング剤の付着先端までの長さが釘胴部の半径相当寸法以上とし、釘直径相当寸法以下とすることを目安にすると良い。こうすることにより、釘の首部を最終的に板材に打ち込むときにシーリング剤が頭部下面に沿って押し出され釘の頭部と板材との間に適正量のシーリング剤が挟まれる。
【００１４】
首部におけるシーリング剤の付着長さが釘の胴部直径相当寸法より大きい場合は、この釘を打ち込んだ際に釘の頭部下面と板材との間に過剰なシーリング剤が挟まれるので、釘の板材を押える力が不足する。首部におけるシーリング剤の付着長さが釘の胴部半径相当寸法より小さい場合は、この釘を打ち込んだ際に釘の頭部下面と板材との間に挟まれるシーリング剤が過少となり、水の浸入を阻止することができないおそれがある。また、釘に付着させるシーリング剤の膜厚は、０．０５〜１．０ｍｍを目処とする。
【００１５】
連接手段は、複数の釘を連接できるものであれば特に限定されないが、たとえば所定距離に平行に配置された２本のワイヤーや合成樹脂製の釘ホルダーなどを利用できる。２本の平行なワイヤーの場合は、釘の胴部をワイヤーに直交させて溶接、圧接、接着などの接合方法により固定する。
【００１６】
釘で固定する板材は、外壁用下地材などで木質系台板から形成される。台板としては合板、繊維板（ミディアムデンシティファイバーボード（ＭＤＦ）またはハードファイバーボード）などを使用するが、この表面に防水層、無機質凹凸層をこの順に設けると良い。建物の躯体は、外壁の場合は柱、間柱が相当するが通気受け材などを介在させても良い。なお、連続釘打ち機は、圧搾空気を利用した公知のもので良い。
【発明の効果】
【００１７】
本発明によれば、本連接釘を連続釘打ち機に装着し釘を打ち込むことにより、板材を効率良く確実に建物の躯体に固定することができるとともに、釘の頭部と板材との間に水が浸入することを阻止する。また、本発明の連接釘は、その胴部および先端部にはシーリング剤が付着していないので打ち込みが容易である。
【発明を実施するための最良の形態】
【００１８】
以下、本発明に係る連接釘の実施形態を図面に基いて詳細に説明する。なお、図１〜５において、同一または同等部分には同一符号を付けて示す。
【実施例１】
【００１９】
図１は、本発明に係る連接釘の一実施形態を示す正面図である。図２は、図１に示す連接釘のＡ−Ａ線断面図である。本実施形態の連接釘１ａは、連続釘打ち機に装着し使用するもので、複数の釘２と、これらの釘２の向きを揃え、かつ胴部６を互いに平行に連接する２本のワイヤー（連接手段または釘保持具）１１とを備える。各釘とワイヤー１１とは、溶接、圧着、接着などの適宜の方法で接合される。
【００２０】
釘２は、一般に使用される釘（ＪＩＳ  Ａ５５０８−１９９２）でも良いが、頭部下面４の形状は、頭部上端面（または胴部を垂直に横断する面）３ａに対して２５度以上、たとえば３０度の逆円錐面の一部とする。さらに、釘２は、頭部３、首部５、胴部６および先端部８からなる。釘２の大きさは、たとえばＮ５０（ＪＩＳ  Ａ５５０８−１９９２）を使用し、長さＬ＝５０ｍｍ、太さＤ＝２．７５ｍｍである。なお、連続釘打ち機としては、釘を連接する保持具とマッチングしており釘を圧搾空気を利用して打ち込むことができる公知のもので良い。
【００２１】
釘の頭部３の形状は、平頭フラットであるが、この他に平頭網目付き、丸頭、皿頭網目付きなども利用できる。胴部６の形状はスムースであるがスクリュウー、リングなども利用できる。釘２の材質は、鉄、ステンレス鋼などの金属である。
【００２２】
さらに、釘２は、その頭部下面４から首部５にかけて、その表面にシーリング剤１０が均一に付着している。首部５におけるシーリング剤１０の付着長さは、首部５の頭部側端から釘の胴部半径（＝Ｄ／２）相当寸法まで付着しているが、この付着長さは、これに限定されず、釘の胴部半径（＝Ｄ／２）相当寸法から胴部直径Ｄ相当寸法までの範囲で付着させることを目処とする。シーリング剤の膜厚は０．１〜０．５ｍｍ程度である。なお、シーリング剤は、釘の表面に必要以上に強固に付着せず、かつ釘の打ち込みによって釘頭部側に押し出されるものを選定し、たとえば塩化ビニール樹脂、酢酸ビニール樹脂、ウレタン樹脂などを使用できる。
【００２３】
図３は、図１、２に示した連接釘１ａを連続釘打ち機に装着したものを使用し、壁下地材１６を建物の躯体２４に固定した状態の断面図である。釘２は、壁下地材１６を柱、間柱などの建物の躯体２４に固定する。壁下地材１６は、木質系の台板１８と、台板１８の表面に設けられた防水層１９と、この防水層１９の表面に設けられた無機質凹凸層２０とから形成される。台板１８は構造用合板またはＭＤＦで、その厚さはたとえば９ｍｍである。壁下地材１６と建物の躯体２４との間には防水紙２２が設けられる。因みに、壁下地材の無機質凹凸層２０の表面にはセメント系モルタルなどが塗布される。
【００２４】
防水層１９は、ブタジエンアクリロニトリルラバー、メタクリルブチルラバーやスチレンブタジエンラバーなどのラテックスと、酢酸ビニール樹脂、塩化ビニール樹脂、アクリル樹脂、クロロピレン樹脂などの合成樹脂エマルジョンとの混合物を塗布して形成される。
【００２５】
無機質凹凸層２０は、炭酸カルシウム、珪砂などの骨材と、ポルトランドセメントや白色セメントなどのセメントと、スチレンブタジエンラバー、メタクリルブチルラバーなどのラテックスと、酢酸ビニール樹脂やアクリル樹脂のエマルジョンとの混合物を防水層の表面に凹凸状に塗布したものである。無機質凹凸層２０の凹凸の高さ（ｈ）は最大２．５ｍｍ程度である。
【００２６】
次に、図３を用いて連接釘の作用を説明する。図１、２に示す連接釘１ａを連続釘打ち機に装着し、壁下地材１６を建物の躯体２４に固定するときに、釘２は壁下地材１６の表面１７から躯体２４側に打ち込まれる。釘２は２本のワイヤー１１（図１、２）から引き離され壁下地材１６に打ち込まれる。この際、釘の胴部６にはシーリング剤１０が付着していないので、シーリング剤の剥離は発生しない。さらに、釘の胴部６および先端部８にはシーリング剤が付着していないので、釘２の打込み性が良好である。
【００２７】
釘２の打ち込みの最終段階においては、釘の頭部下面４および首部５に付着していたシーリング剤１０は、頭部下面４に沿って押し出されるとともに頭部下面４と壁下地材１３との間に挟まれる。シーリング剤１０は、釘の頭部正面視（図３において上から下に見たとき）において釘頭部を環状に囲うように押し出される。このシーリング剤１０の量は適正な量になるので、水の浸入を阻止するとともに釘の頭部３は壁下地材１６を躯体２４に対して確実に押圧し固定する。
【００２８】
無機質凹凸層２０は、比較的硬く、釘２が打ち込まれた際に微細な割れが発生するおそれもあるが、この部分にはシーリング剤１０が挟まれるので、たとえ微細な割れが発生しても、この微細な割れにシーリング剤１０が密着ないし浸入し塞ぐので、壁下地材１６の外側からの水が壁下地材１６に浸入することが阻止される。
【実施例２】
【００２９】
図４は、本発明に係る連接釘の別の実施形態を示す正面図である。図５は、図４の下面図である。図４、５に示す連接釘１ｂは、合成樹脂製の釘ホルダー１３により釘２を連接したものである。釘ホルダー１３は、基板部１４と、この基板部１４の表面に一定のピッチで形成された切欠円筒部１５とから形成される。切欠円筒部１５は、円筒の一部が切り欠かれた形状である。釘２は、その胴部６を釘ホルダーの切欠円筒部１５内に挿入されることにより保持される。釘２は打ち込まれるときに釘ホルダー１３から容易に外れるようになっている。図４、５におけるその他の構造と作用は、図１〜３に示したものと同じであるので、その説明を省略する。
【００３０】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３１】
建物の外壁に設けられる壁下地材などの板材をその建物の躯体に固定するときに、本発明の連接釘を連続釘打ち機に装着し、板材を固定するときに利用可能である。
【図面の簡単な説明】
【００３２】
【図１】本発明に係る連接釘の一実施形態を示す正面図である。
【図２】図１に示す連接釘のＡ−Ａ線断面図である。
【図３】図１、２に示した連接釘を使用して壁下地材を建物の躯体に固定した状態の断面図である。
【図４】本発明に係る連接釘の別の実施形態を示す正面図である。
【図５】図４の下面図である。
【符号の説明】
【００３３】
１ａ、１ｂ  連接釘
２  釘
３  頭部
４  下面
５  首部
６  胴部
８  先端部
１０  シーリング剤
１１  ワイヤー（連接手段）
１３  合成樹脂ホルダー（連接手段）
１６  壁下地材（板材）
１８  台板
１９  防水層
２０  無機質凹凸層
２２  防水紙
２４  躯体
【図１】
2006233984.tif 000003
【図２】
2006233984.tif 000004
【図３】
2006233984.tif 000005
【図４】
2006233984.tif 000006
【図５】
2006233984.tif 000007